【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
電力供給源から複数の電力貯蔵装置に電流を供給するシステムであって、
前記複数の電力貯蔵装置の第１の電力貯蔵装置に電流を供給するよう構成された複数の充電装置の第１の充電装置と、
前記第１の充電装置に結合されてネットワークを形成する前記複数の充電装置の第２の充電装置と、
を備え、前記第２の充電装置が、前記複数の電力貯蔵装置の第２の電力貯蔵装置に電流を供給するよう構成されており、前記第１の電力貯蔵装置は、
前記複数の充電装置の数に応じて、前記電力供給源から受け取られることになる電流量及び前記電力貯蔵装置に供給されることになる電流量のうちの少なくとも１つを決定し、
前記第１の充電装置が受け取ること及び前記第１の電力貯蔵装置に供給することのうちの少なくとも１つを行う前記決定された電流量を可能にする、
ようにプログラムされた第１のプロセッサを含み、
前記第２の充電装置が、前記電力供給源から受けた電流又は、前記複数の充電装置の数に応じて前記第２の電力貯蔵装置に供給された電流の量を決定し、前記第２の充電装置により受け取られた電流又は前記第２の電力貯蔵装置に供給された電流の決定された量を可能にするようにプログラムされた第２のプロセッサを含み、
前記第１のプロセッサが更に、前記第２の充電装置に第１のリクエストを送信して、前記第２の充電装置が供給、受け取り、予想される受け取り、及び予想される供給のうちの少なくとも１つを行う電流の量を決定するようプログラムされており、
前記第２の充電装置の前記第２のプロセッサが、前記第１の充電装置に第２のリクエストを送信するようプログラムされており、
前記第１の充電装置の前記第１のプロセッサは、前記第１のリクエストに応答してデータの受け取りを待機している間に前記第１の充電装置が前記第２のリクエストを受け取ったときに生じる衝突を検出するよう更にプログラムされている、システム。
【請求項２】
前記第１の電力貯蔵装置が、電気自動車の電力貯蔵装置である、請求項１に記載のシステム。
【請求項３】
前記複数の充電装置の各充電装置が配電装置に結合されており、該配電装置から電流を受け取るよう構成される、請求項１または２に記載のシステム。
【請求項４】
前記第１のプロセッサは、前記配電装置の電流分配限度を前記複数の充電装置の数で除算することにより、前記電力供給源から受け取られることになる電流量及び前記第１の電力貯蔵装置に供給されることになる電流量のうちの少なくとも１つを決定するようプログラムされている、請求項３に記載のシステム。
【請求項５】
前記第１のプロセッサが更に、前記複数の電力貯蔵装置のうちの１つの電力貯蔵装置に電流を供給している及び電流の供給をリクエストしているうちの少なくとも１つであるの数を決定するようにプログラムされている、請求項４に記載のシステム。
【請求項６】
前記第１のプロセッサは、前記電流量が所定の最小電流閾値と等しいか又はそれよりも大きい場合に、前記電力供給源から受け取る電流及び前記電力貯蔵装置に供給する電流のうちの少なくとも１つである前記電流の量を可能にするようにプログラムされている、請求項４に記載のシステム。
【請求項７】
前記第１のプロセッサが更に、配電装置の電流分配限度から前記第２の充電装置が供給、受け取り、予想される受け取り、及び予想される供給のうちの少なくとも１つを行う電流量を差し引いたものに等しくなるように、前記電力供給源から受け取る及び前記第１の電力貯蔵装置に供給するうちの少なくとも１つを行う初期電流量を決定するようプログラムされている、請求項１乃至６のいずれかに記載のシステム。
【請求項８】
前記第２のプロセッサが更に、前記第２の充電装置が供給、受け取り、予想される受け取り、及び予想される供給のうちの少なくとも１つを行う電流を示すデータを伝送することにより、前記第１のリクエストに応答するようプログラムされている、請求項１乃至７のいずれかに記載のシステム。
【請求項９】
充電装置であって、
電力供給源から電流を受け取ること及び電力貯蔵装置に電流を供給することを選択的に可能にするよう構成された電流制御装置と、
前記電流制御装置に結合された第１のプロセッサと、
少なくとも第２プロセッサを備える第２の充電装置に結合してネットワークを形成するよう構成されたネットワークインタフェースと、
を備え、前記第１のプロセッサが、
前記第２の充電装置に第１のリクエストを送信して、前記第２の充電装置が供給、受け取り、予想される受け取り、及び予想される供給のうちの少なくとも１つを行う電流の量を決定し、
前記ネットワーク内の充電装置の数に応じて、前記電力供給源から受け取られることになる電流量及び前記電力貯蔵装置に供給されることになる電流量のうちの少なくとも１つを決定し、
前記電力供給源から受け取る電流の量及び前記電力貯蔵装置に供給する電流の量うちの少なくとも１つを可能にするよう前記電流制御装置を制御する、
ようにプログラムされており、
前記第１のプロセッサは、前記第１のリクエストに応答して前記第２の充電装置からデータの受け取るよう更にプログラムされており、
前記第１のプロセッサは、前記第１のリクエストに応答してデータの受け取りを待機している間に前記第１の充電装置が前記第２のリクエストを受け取ったときに生じる衝突を検出するよう更にプログラムされている、充電装置。
【請求項１０】
前記充電装置が配電装置に結合されており、前記配電装置から電流を受け取り、該受け取った電流の少なくとも一部を前記電力貯蔵装置に供給するよう構成されている、請求項９に記載の充電装置。
【請求項１１】
前記第１のププロセッサが更に、前記配電装置の電流分配限度を前記ネットワーク内の前記充電装置の数で除算することにより、前記電力供給源から受け取られることになる電流量及び前記電力貯蔵装置に供給されることになる電流量のうちの少なくとも１つを決定するようプログラムされている、請求項１０に記載の充電装置。
【請求項１２】
前記第１のププロセッサが更に、電流の供給、電流の受け取り、予想される電流の受け取り、及び予想される電流の供給のうちの少なくとも１つを行う前記ネットワーク内の充電装置の数である前記充電装置の数を決定するようにプログラムされている、請求項１１に記載の充電装置。
【請求項１３】
前記第１のププロセッサが更に、前記第２の充電装置が供給、受け取り、予想される受け取り、及び予想される供給のうちの少なくとも１つを行う前記電流の量に基づいて、前記電力供給源から受け取る及び前記電力貯蔵装置に供給するうちの少なくとも１つを行う初期電流を決定するようプログラムされている、請求項１４に記載のシステム。
【請求項１４】
複数の電力貯蔵装置に電流を供給する方法であって、
ネットワーク内の複数の充電装置の数を決定する段階を含み、
前記複数の充電装置の第１の充電装置が、第１のプロセッサと、電力供給源から電流を受け取り、前記複数の電力貯蔵装置の第１の電力貯蔵装置に電流を供給するよう構成された第１の電流制御装置を含み、
前記複数の充電装置の第２の充電装置が、第２のプロセッサと、電力供給源から電流を受け取り、前記複数の電力貯蔵装置の第２の電力貯蔵装置に電流を供給するよう構成された第２の電流制御装置を含み、
前記方法が更に、
前記ネットワーク内の前記充電装置の数に応じて、前記第１の充電装置により前記電力供給源から受け取られることになる電流量及び前記第１の電力貯蔵装置に供給されることになる電流量のうちの少なくとも１つを決定する段階と、
前記電力供給源から受け取る電流の量及び前記第１の電力貯蔵装置に供給する電流の量のうちの少なくとも１つを可能にするよう前記電流制御装置を制御する段階と、
前記ネットワーク内の前記充電装置の数に応じて、前記第２の充電装置により前記電力供給源から受け取られることになる電流量及び前記第２の電力貯蔵装置に供給されることになる電流量のうちの少なくとも１つを決定する段階と、
前記電力供給源から受け取る電流の量及び前記第２の電力貯蔵装置に供給する電流の量のうちの少なくとも１つを可能にするよう前記電流制御装置を制御する段階と、
前記複数の充電装置に第１のリクエストを送信して、各充電装置が供給、受け取り、予想される受け取り、及び予想される供給のうちの少なくとも１つを行う電流の量を決定する段階と、
前記第２の充電装置から前記第１の充電装置に第２のリクエストを送信する段階と、
前記第１の充電装置が前記第１のリクエストを受け取る段階と、
前記第１のプロセッサが、前記第１のリクエストに応答してデータの受け取りを待機している間に前記第１の充電装置が前記第２のリクエストを受け取ったときに生じる衝突を検出する段階と、
を含む、方法。
【請求項１５】
前記第１の充電装置により前記電力供給源から受け取られることになる電流量及び前記電力貯蔵装置に供給されることになる電流量のうちの少なくとも１つを決定する段階が、配電装置の電流分配限度を前記ネットワーク内の前記充電装置の数で除算することを含む、請求項１４に記載の方法。
【請求項１６】
ネットワーク内の複数の充電装置の数を決定する前記段階が、電力貯蔵装置に対する電流の供給、電流の受け取り、予想される電流の受け取り、及び予想される電流の供給のうちの少なくとも１つを行うネットワーク内の複数の充電装置の数を決定することを含む、請求項１４または１５に記載の方法。
【請求項１７】
前記複数の充電装置の各充電装置が供給、受け取り、予想される受け取り、及び予想される供給のうちの少なくとも１つを行う前記電流の量に基づいて、前記電力供給源から受け取る及び前記電力貯蔵装置に供給するうちの少なくとも１つを行う初期電流を決定する段階を更に含む、請求項１４乃至１６のいずれかに記載の方法。
【請求項１８】
前記第２のプロセッサが、前記第２の充電装置が供給、受け取り、予想される受け取り、及び予想される供給のうちの少なくとも１つを行う電流を示すデータを伝送する段階を更に含む、請求項１４乃至１７のいずれかに記載の方法。